(57)【特許請求の範囲】
【請求項１】
箱体の上面開口部の一方側に被覆体が立ち上げ形成され、該被覆体は建物の外壁に接する側のみが開口され、被覆体で塞がれた開口部以外の開口部には開閉蓋が設けられてなることを特徴とする量水器用収納箱。
【請求項２】
請求項１の量水器用収納箱が集合住宅の共同廊下の床に設置され、箱体内には水道管および量水器が収納され、箱体から共同廊下に突出して室内に配管された水道管が被覆体で被覆されたことを特徴とする集合住宅の配管構造。
【請求項３】
箱体の下部が床下に突出され、該突出された下部が耐火材で被覆されたことを特徴とする請求項２に記載の集合住宅の配管構造。
【発明の詳細な説明】
【技術分野】
【０００１】
本願発明はマンションなどの集合住宅における共同廊下に設置する量水器用収納箱およびこれを用いた集合住宅の配管構造に関するものである。
【背景技術】
【０００２】
従来、いわゆるマンションなどの集合住宅２９においては、図７に示すように、共同廊下３０側に形成したパイプスペース３１にガス、水道および電気の共同配管および共同配線と、これらに設置された検出メーターとが収納されていた。しかし、近年におけるオール電化型の集合住宅においては、電気の検出メーターが共同廊下の壁置き型で設置できるため、大きなスペースを要するメーターボックスが不要になり、各住戸の専有面積が大きくなるという利点があった。また、その他の集合住宅の配管構造としては、例えば特開２００２−１２１９１３号公報の発明が知られている。
【特許文献１】特開２００２−１２１９１３号公報
【発明の開示】
【発明が解決しようとする課題】
【０００３】
しかし、上記のようなオール電化型の集合住宅においても、依然として水道の量水器（検出メーター）の設置は必要であり、この量水器を収納する量水器用収納箱は平面的に大きな面積を要するため、どこに設置するかが問題となっている。
【０００４】
本願発明はこれらの問題に鑑みてなされたものであり、その目的は、パイプスペース内にメーターボックスを必要とせずに共同廊下側に設置できる量水器用収納箱およびこれを利用した集合住宅の配管構造を提供することである。
【課題を解決するための手段】
【０００５】
以上の課題を解決するための量水器用収納箱は、箱体の上面開口部の一方側に被覆体が立ち上げ形成され、該被覆体は建物の外壁に接する側のみが開口され、被覆体で塞がれた開口部以外の開口部には開閉蓋が設けられてなることを特徴とする。
また集合住宅の配管構造は、箱体の上面開口部の一方側に被覆体が立ち上げ形成され、該被覆体は建物の外壁に接する前方側のみが開口され、被覆体で塞がれた開口部以外の開口部には開閉蓋が設けられてなる量水器用収納箱が集合住宅の共同廊下の床に設置され、箱体内には水道管および量水器が収納され、箱体から共同廊下に突出して室内に配管された水道管が被覆体で被覆されたことを特徴とする。また箱体の下部が床下に突出され、該突出された下部が耐火材で被覆されたことを含むものである。
【発明の効果】
【０００６】
水道の量水器用収納箱を集合住宅の共同廊下に設置することができる。また集合住宅において大きなスペースを要するパイプスペース内の量水器ボックスが不要となって、パイプスペースを小さくすることができるため、各住戸の専有面積を広くすることができる。また箱体から共同廊下に突出して室内に配管された水道管を被覆体で被覆することができる。
【発明を実施するための最良の形態】
【０００７】
以下、本願発明の量水器用収納箱およびこれを用いた集合住宅の配管構造の実施の形態について説明する。はじめに量水器用収納箱（以下収納箱という）について説明し、次に、この収納箱を使用した集合住宅の配管構造の実施の形態について説明するが、各実施の形態において同じ構成は同じ符号を付して説明し、異なった構成にのみ異なった符号を付して説明する。
【０００８】
図１および図２は収納箱１であり、金属製または合成樹脂製の箱体２の上面開口部３の一方側に被覆体４が立ち上げ形成され、該被覆体４で塞がれた開口部３以外の開口部５には二枚の開閉蓋６が設けられて構成されている。
【０００９】
この被覆体４は箱体２から室内に配管された水道管を覆うものであり、壁面に接する側（前面側）のみが開口し、その他は全て閉塞している。この被覆体４は箱体２と同じ幅で立ち上がった側面７、背面８および頂面９から構成され、底面１０が箱体２から少し前方に突出することにより、開口部５の一部が閉塞されている。したがって、箱体２に配管された水道管は、開口部５の一部から被覆体４を通って室内に配管されるようになる。
【００１０】
また箱体２の側面には、収納箱１を床に固定するための固定片１１が突設されている。一方、開閉蓋６の上面には取っ手１２が設置され、これが内側に収納されて、開閉蓋６を開けるときにのみ上側に回転させて使用する。
【００１１】
次に、この収納箱１を用いた集合住宅の配管構造の実施の形態を図３〜図６に基づいて説明する。この収納箱１は、図３に示すように、集合住宅１３の共同廊下１４の床１５に設置するものであり、室内１６側に設けた開口１７に箱体２が嵌合し、該箱体２の上面から立ち上がった被覆体４が外壁面１８に接している。
【００１２】
また箱体２の固定片１１は床のコンクリート１９内に埋設され、開口１７から箱体の下部２０が床下に突出し、この突出した下部２０が耐火材２１で被覆されている。また、この耐火材２１が吊り天井２２によって隠され、この吊り天井２２で形成された天井内２３には水道管２４が配管され、この水道管２４が箱体底面２５から箱体２内に配管されて量水器２６が設置されている。そのため上面の開閉蓋６を開放すると、箱体内の量水器２６で水の使用量を検出できる。
【００１３】
また、この水道管２４は開口部３の一部から被覆体４内を通って室内１６に配管されている。そのため、水道管２４は箱体２の開口部３の一部から共同廊下１４側に突出され、ここから外壁２７を通って室内１６に配管されるが、共同廊下１４に配管された部分が被覆体４で覆われるため、外側からは見えないようになっている。このように収納箱１が集合住宅の床１５に設置されるため、大きなスペースを要するメーターボックスを集合住宅１３に設ける必要がない。
【図面の簡単な説明】
【００１４】
【図１】（１）は収納箱の平面図、（２）は（１）のＡ−Ａ断面図である。
【図２】収納箱の斜視図である。
【図３】収納箱を用いた集合住宅の配管構造の断面図である。
【図４】量水器用収納箱を用いた集合住宅の配管構造の拡大断面図である。
【図５】量水器用収納箱を用いた集合住宅の配管構造の平面図である。
【図６】量水器用収納箱を用いた集合住宅の配管構造の斜め方向の断面図である。
【図７】（１）は集合住宅の共同廊下におけるメーターボックスの断面図、（２）は同斜視図である。
【符号の説明】
【００１５】
１  収納箱
２  箱体
３、５  上面開口部
４  被覆体
６  開閉蓋
７  側面
８  背面
９  頂面
１０  底面
１１  固定片
１２  取っ手
１３、２９  集合住宅
１４、３０  共同廊下
１５  床
１６  室内 
１７  開口
１８  外壁面
１９  コンクリート
２０  箱体の下部
２１  耐火材
２２  吊り天井
２３  天井内
２４  水道管
２５  箱体底面
２６  量水器
２７  外壁
３１  パイプスペース
【図１】
0005081027.tif 000002
【図２】
0005081027.tif 000003
【図３】
0005081027.tif 000004
【図４】
0005081027.tif 000005
【図５】
0005081027.tif 000006
【図６】
0005081027.tif 000007
【図７】
0005081027.tif 000008